(57)【要約】  【課題】圧電素子を内蔵すると共に、スクリーンパネルの外周部を覆ってカバーパネルが配備されている電子機器において、スクリーンパネルの振動の低下を抑制することである。【解決手段】電子機器は、圧電素子と、前記圧電素子が裏面に設けられ、画像を表示可能な第一のパネルと、前記第一のパネルの表面の外周部を覆う枠状の第二のパネルと、前記第一のパネルと前記第二のパネルとの間において、前記外周部に沿って設けられた固定部と、を具備し、前記圧電素子により振動した前記第一のパネルに耳を当てることによりユーザは受話音を聞くことが可能な電子機器であって、前記圧電素子の近傍領域においては前記固定部が欠如している。【選択図】  図３
2014241607.tif 000002
【特許請求の範囲】
【請求項１】
圧電素子と、
前記圧電素子が裏面に設けられ、画像を表示可能な第一のパネルと、
前記第一のパネルの表面の外周部を覆う枠状の第二のパネルと、
前記第一のパネルと前記第二のパネルとの間において、前記外周部に沿って設けられた固定部と、を具備し、
前記圧電素子により振動した前記第一のパネルに耳を当てることによりユーザは受話音を聞くことが可能な電子機器であって、
前記圧電素子の近傍領域においては前記固定部が欠如している電子機器。
【請求項２】
前記固定部の欠如によって前記第一のパネルの表面と前記第二のパネルの裏面との間に空隙が形成されている請求項１記載の電子機器。
【請求項３】
前記固定部は、粘着テープまたは接着剤により構成される請求項１または２記載の電子機器。
【発明の詳細な説明】
【技術分野】
【０００１】
本発明は、音声を受話者の耳に伝えるための電子機器に関するものである。
【背景技術】
【０００２】
従来、圧電素子を具えた種々の電子機器が提案されている(特許文献１、２)。
【０００３】
例えば携帯電話機においては、本体の上端部に、骨伝導振動素子によって構成される受話部が配備されると共に、本体の下端部に、マイクロフォンによって構成される送話部が配備され、受話部を耳に押し当てると共に、送話部を口元に近づけることによって、通話が可能となる。
【先行技術文献】
【特許文献】
【０００４】
【特許文献１】特開２００１−３２０７９０号公報
【特許文献２】特開２００３−１４５０４８号公報
【発明の概要】
【発明が解決しようとする課題】
【０００５】
本体の表面に画像表示のためのスクリーンパネルが配備されている携帯電話機において、スクリーンパネルの裏面に骨伝導振動素子を取り付けて受話部を構成することが考えられる。
【０００６】
この様な携帯電話機においては、スクリーンパネルの表面を耳に押し当てることによって、受話が可能となる。
【０００７】
しかしながら、この様な携帯電話機においては、本体の表面にスクリーンパネルの外周部を覆って枠状のカバーパネルが固定されることになるため、該カバーパネルによってスクリーンパネルの振動が抑制されることとなる問題があった。
【０００８】
そこで本発明の目的は、圧電素子を内蔵すると共に、スクリーンパネルの外周部を覆ってカバーパネルが配備されている電子機器において、スクリーンパネルの振動の低下を抑制することである。
【課題を解決するための手段】
【０００９】
本発明の主たる態様に係る電子機器は、圧電素子と、前記圧電素子が裏面に設けられ、画像を表示可能な第一のパネルと、前記第一のパネルの表面の外周部を覆う枠状の第二のパネルと、前記第一のパネルと前記第二のパネルとの間において、前記外周部に沿って設けられた固定部と、を具備し、前記圧電素子により振動した前記第一のパネルに耳を当てることによりユーザは受話音を聞くことが可能な電子機器であって、前記圧電素子の近傍領域においては前記固定部が欠如している。
【００１０】
前記固定部の欠如によって前記第一のパネルの表面と前記第二のパネルの裏面との間に空隙が形成されていてもよい。
【００１１】
前記固定部は、粘着テープまたは接着剤により構成されていてもよい。
【発明の効果】
【００１２】
本発明に係る電子機器によれば、スクリーンパネルの表面にカバーパネルを固定することに起因するスクリーンパネルの振動の低下を効果的に抑制することが出来る。
【図面の簡単な説明】
【００１３】
【図１】図１は、本発明の一実施形態である携帯電話機の斜視図である。
【図２】図２は、図１のＡ−Ａ線に沿う拡大断面図である。
【図３】図３は、図１のＢ−Ｂ線に沿う拡大断面図である。
【図４】図４は、スクリーンパネル及び前面カバーパネルの斜視図である。
【図５】図５は、スクリーンパネル及び前面カバーパネルを裏返して示す斜視図である。
【図６】図６は、図４に対応する分解斜視図である。
【図７】図７は、図５に対応する分解斜視図である。
【発明を実施するための形態】
【００１４】
以下、本発明を携帯電話機に実施した形態につき、図面に沿って具体的に説明する。
【００１５】
本発明の一実施形態である携帯電話機は、図１に示す如く扁平直方体状の本体(１)と表示部(20)を具え、該本体(１)の表面には透明なスクリーンパネル(２)が設置され、本体(
１)の前面には、スクリーンパネル(２)の外周部を覆う枠状の前面カバーパネル(３)が配
備されると共に、本体(１)の背面には、背面カバーパネル(31)が配備され、前面カバーパネル(３)と背面カバーパネル(31)とが互いに接合されている。
【００１６】
尚、前面カバーパネル(３)及び背面カバーパネル(31)は合成樹脂製である。
【００１７】
本体(１)には、図２に示す如く、スクリーンパネル(２)の背面側に、タッチ入力のためのタッチパネル(８)が設置されると共に、該タッチパネル(８)の背面側に、スクリーンパネル(２)に画像を表示するためのディスプレイ(９)が設置され、表示部(20)が構成される。
【００１８】
スクリーンパネル(２)の表面に表示される画像に応じて該画像の表示位置をタッチ操作することにより、該画像に応じた操作信号が生成されることになる。
【００１９】
本体(１)は、防水パッキン(13)を介して互いに接合された合成樹脂製の前面側本体シャーシ(11)と背面側本体シャーシ(12)を具え、防水パッキン(13)によって本体(１)の内部空間に対して防水が図られている。
【００２０】
そして、前面側本体シャーシ(11)の表面には、スクリーンパネル(２)の背面が両面粘着テープ(62)により固定されている。
【００２１】
前面カバーパネル(３)は、図４〜図７に示す様に、スクリーンパネル(２)の外周部を覆う枠状の第１パネル部材(４)と、該第１パネル部材(４)の裏面に沿って延びる第２パネル部材(５)とを具え、図３に示す如く、第１パネル部材(４)の内周部(40)の裏面に接着剤(60)によって第２パネル部材(５)の表面(50)が固定されている。
【００２２】
第２パネル部材(５)は、第１パネル部材(４)の内周縁(41)よりもスクリーンパネル(２)の中央部側へはみ出た内周部(51)を有し、該内周部(51)の表面には、第１パネル部材(４)の内周縁(41)との対向部に、第１パネル部材(４)の内周部(40)が貼着固定される表面(50)よりも高い立壁部(52)が形成されている。
【００２３】
第２パネル部材(５)の内周部(51)の表面に、例えば金属メッキを施すことによって、携
帯電話機の外観を見栄えの良いものとすることが出来る。
【００２４】
スクリーンパネル(２)の裏面には、受話音声を骨伝導によって伝えるための骨伝導振動素子(７)が両面粘着テープ(63)によって固定され、これによって受話部が構成されている。骨伝導振動素子(７)は例えば圧電素子によって構成される。
【００２５】
尚、骨伝導振動素子(７)は、図１に示す様に、本体(１)の上部であって、スクリーンパネル(２)の表示部(20)の外側に配置されている。
【００２６】
図２に示す如く、スクリーンパネル(２)の表面の外周領域Ｙには、両面粘着テープ(６)によってカバーパネル(３)の第２パネル部材(５)の裏面が接着固定されている。
【００２７】
両面粘着テープ(６)は、図６及び図７に示す様に、スクリーンパネル(２)の外周部に沿って延びると共に、前記骨伝導振動素子(７)の近傍領域が欠如した欠如部(61)を有しており、該欠如部(61)によって両面粘着テープ(６)が切り離されている。
【００２８】
この骨伝導振動素子(７)の欠如部(61)によって、図３に示す如く骨伝導振動素子(７)の近傍には、スクリーンパネル(２)の表面とカバーパネル(３)の裏面との間に、空隙Ｇが形成されている。
【００２９】
この空隙Ｇは、骨伝導振動素子(７)の駆動によって振動するスクリーンパネル(２)の表面が前面カバーパネル(３)の裏面に接触することのない大きさ、例えば０.２ｍｍ程度に
設定されている。
【００３０】
又、スクリーンパネル(２)の表面には、両面粘着テープ(６)が貼着される外周領域Ｙを除く中央領域Ｘに、蒸着によって図２に示す如く防汚コート(21)が施されている。
【００３１】
これによって、スクリーンパネル(２)の表面に汚れが付着することが防止される。
【００３２】
上記携帯電話機において、受話信号に応じて骨伝導振動素子(７)を駆動することにより、スクリーンパネル(２)に振動が発生することになる。そこで、スクリーンパネル(２)の表面を耳に押し当てることにより、スクリーンパネル(２)の振動が耳に伝わって、受話音を聞くことが出来る。
【００３３】
上記携帯電話機によれば、骨伝導振動素子(７)の近傍領域では、スクリーンパネル(２)の外周部にカバーパネル(３)が固定されず、空隙Ｇが形成されているため、該空隙Ｇ内では、骨伝導振動素子(７)の駆動によるスクリーンパネル(２)の振動が自由となり、これによって骨伝導振動素子(７)による骨伝導性能が十分に発揮される。
【００３４】
又、組立工程において、接着剤(60)によって第１パネル部材(４)に第２パネル部材(５)を固定する際、第２パネル部材(５)の内周部(51)の表面に立壁部(52)が形成されているので、該立壁部(52)によって、接着剤(60)が第２パネル部材(５)の内周部(51)側へ流れ出ることが阻止される。
【００３５】
更に又、クリーンパネル(２)の表面の外周領域Ｙには防汚コート(21)が施されていないので、該外周領域に対する両面粘着テープ(６)の接着力が大きくなり、該両面粘着テープ(６)によってカバーパネル(３)を強固に固定することが出来る。
【００３６】
尚、本発明の各部構成は上記実施の形態に限らず、特許請求の範囲に記載の技術的範囲内で種々の変形が可能である。例えば両面粘着テープ(６)によってスクリーンパネル(２)
に前面カバーパネル(３)を固定する構成に代えて、接着剤などの粘着層を用いてスクリーンパネル(２)に前面カバーパネル(３)を固定することも可能である。
【００３７】
又、本発明は、携帯電話機に限らず、骨伝導振動素子を具えた種々の電子機器に実施することが出来る。
【符号の説明】
【００３８】
(１)  本体
(２)  スクリーンパネル
(21)  防汚コート
(３)  前面カバーパネル
(４)  第１パネル部材
(40)  内周部
(41)  内周縁
(５)  第２パネル部材
(51)  内周部
(52)  立壁部
(６)  両面粘着テープ
(61)  欠如部
(７)  圧電素子
【図１】
2014241607.tif 000003
【図２】
2014241607.tif 000004
【図３】
2014241607.tif 000005
【図４】
2014241607.tif 000006
【図５】
2014241607.tif 000007
【図６】
2014241607.tif 000008
【図７】
2014241607.tif 000009